(57)【要約】      （修正有）【課題】なりすましを排除して、セキャリティーを向上させた電気錠制御装置を提供する。【解決手段】記憶媒体のＩＤ情報や特定の者の生体情報等の識別情報又は特定の者の認証情報の少なくとも一方を入力する入力部、この入力部と接続する開閉体制御装置、この開閉体制御装置と接続する認証端末用通信部を備えた入退出用開閉体制御システムであって、開閉体制御装置は、入力部に入力された識別情報を認証端末用通信部（４）及び通信網（５）を介して携帯型の外部の認証端末（６）に通知し、一方、外部の認証端末は、接近情報通知により開閉体制御装置から貰った特定の者の認証情報を確認し、特定の者の認証情報が使用許可できる本人確認情報であると判断したならば、自己の通信部（２１）及び通信網を介して開閉体制御装置に対して開閉体の使用許可情報を送信し、開閉体制御装置は、この使用許可情報を受信したことを条件として開閉体の動作を制御する。【選択図】図１
2019002269.tif 000002
【特許請求の範囲】
【請求項１】
記憶媒体のＩＤ情報や特定の者の生体情報等の識別情報又は特定の者の認証情報の少なくとも一方を入力する入力部、この入力部と接続する開閉体制御装置、この開閉体制御装置と接続する認証端末用通信部を備えた入退出用開閉体制御システムであって、前記開閉体制御装置は、前記入力部に入力された前記識別情報を前記認証端末用通信部（４）及び通信網（５）を介して認証端末（６）に通知し、一方、前記認証端末（６）は、前記通知により前記開閉体制御装置から貰った前記特定の者の認証情報を確認し、該特定の者の認証情報が使用許可できる本人確認情報であると判断したならば、自己の通信部（２１）及び前記通信網（５）を介して前記開閉体制御装置に対して前記開閉体の使用許可情報を送信し、該開閉体制御装置は、前記使用許可情報を受信したことを条件として前記開閉体の動作を制御することを特徴とする入退出用開閉体制御システム。
【請求項２】
請求項１の入退出用開閉体制御システムに於いて、開閉体制御装置は、前記使用許可情報を受信してから所定時間経過すると、元の常態状態になるように前記開閉体の動作を制御することを特徴とする入退出用開閉体制御システム。
【発明の詳細な説明】
【技術分野】
【０００１】
本発明は、入退出用開閉体制御システムに関し、例えば住宅の玄関扉に設けられた入退出用電気錠、共用部の出入り口に設けられた自動扉の開閉、宅配ボックスの錠前の駆動装置等を外部から制御する入退出用開閉体制御システムに関する。
【背景技術】
【０００２】
特許文献１には、部屋の内部に設けられた内部端末（各部屋内に設置されたインターホン）と玄関扉やその近傍の壁面に設けられたドアホンとの間で、来訪者を確認するために、適宜箇所に映像装置を設置し、該映像装置で取得した画像情報で、前記来訪者を特定する技術が記載されている。したがって、玄関扉を開ける際の「安全性」を確保することができる。
【０００３】
しかしながら、特許文献１は、部屋内の内部端末で来訪者を確認することができるものの、例えば任意に持ち運びができる携帯端末及び広域の通信網を利用して、自己の住宅の玄関先に接近した来訪者、子供、親戚、管理人等を手軽に確認することができないという問題がある。また、安全性に配慮しながら、携帯端末及び広域の通信網を利用して、前記来訪者、子供、親戚、管理人等を簡単に特定でき、かつ、電気錠の解除に関して携帯端末が「なりします、の排除」をすることができるように「認証端末」としての役割を果たすことができれば非常に便利である。
【０００４】
ところで、特許文献２には、鍵番号、ユーザ用暗証番号等を記憶部に記録した携帯電話、その他の携帯端末等の鍵に代わる携帯端末を紛失した場合に於いて、ドアロック装置に初期設定したユーザ用暗証番号等を新たに前記携帯端末の記憶部に記憶し、かつ、この書換えした新たなユーザ用暗証番号等を該ドアロック装置に設けたユーザ用認証情報書換え判定手段に判定させる旨記載されている（例えば段落００１０、段落００１１）。この特許文献２は鍵に代わる携帯端末を紛失した場合に対処することができるものの、携帯端末の登録情報を変更した場合には、ドアロックシステムを構成するドアロック装置の記憶部に新たなユーザ用暗証番号等を設定しなければならないとう問題点がある。また鍵に代わる携帯端末が携帯電話ではなく、例えばキーレスエントリーシステムに用いられている鍵代用小型端末（ＩＣタグ）の場合には紛失する機会等が多くなるので、特許文献２と同様の問題点がある。
【先行技術文献】
【特許文献】
【０００５】
【特許文献１】特開２０１２−１８２５４２号公報
【特許文献２】特開２００７−２３５３１号公報
【発明の概要】
【発明が解決しようとする課題】
【０００６】
本願発明の課題は、鍵代用小型端末（例えばＩＣタグ）の紛失等の事態が発生した場合に於いて、外部端末（外部の認証端末）が使用許可しない鍵代用小型端末使用者を排除する（なりします、の排除）、つまり、セキャリティーの向上を図ることである。第２の課題は、外部端末（外部の認証端末）が開閉体に接近しかつ、例えばＩＣタグを所持する者に対して、任意の場所から、該ＩＣタグに格納されている解錠キーを活性化するためのＩＣタグの使用許可情報をタイムリーに電気錠制御装置に送信することができることである。第３の目的は接近情報通知を外部の認証端末に迅速に或いは早めに通知することができるようにすることである。これらの３つの課題を同時に達成することが望ましい。
【課題を解決するための手段】
【０００７】
本発明の退出用開閉体制御システムは、記憶媒体のＩＤ情報や特定の者の生体情報等の識別情報又は特定の者の認証情報の少なくとも一方を入力する入力部、この入力部と接続する開閉体制御装置、この開閉体制御装置と接続する認証端末用通信部を備えた入退出用開閉体制御システムであって、前記開閉体制御装置は、前記入力部に入力された前記識別情報を前記認証端末用通信部（４）及び通信網（５）を介して携帯型の外部の認証端末（６）に対して通知し、一方、前記外部の認証端末（６）は、前記接近情報通知により前記開閉体制御装置から貰った前記特定の者の認証情報を確認し、該特定の者の認証情報が使用許可できる本人確認情報であると判断したならば、自己の通信部（２１）及び前記通信網（５）を介して前記開閉体制御装置に対して前記開閉体の使用許可情報を送信し、該開閉体制御装置は、前記使用許可情報を受信したことを条件として前記開閉体の動作を制御することを特徴とする。
【０００８】
特に、退出用開閉体制御システムの好ましい実施形態が、入退出用電気錠システムである場合には、「特定の者の認証情報を読み取る入力部（例えば読取装置）、この入力部と接続する電気錠制御装置、この電気錠制御装置と接続する外部の認証端末用通信部及び入退出用開閉体に設けられ、かつ前記電気錠制御装置に施・解錠が制御される電気錠を備えるものであり」、前記電気錠制御装置は、開閉体に接近した特定の者が所持するＩＣタグのＩＤ情報、指紋・音声・網膜・顔・姿態等の前記識別情報に基づいて外部の認証端末用通信部及び通信網を介して外部端末としての認証端末に対して特定の者が入退出用開閉体に接近したことを通知（接近情報通知）し、一方、認証端末は、接近情報通知と同時又は異時に前記電気錠制御装置から貰った特定の者の情報をその認証部で確認し、該認証部が該特定の者の情報が許可できる本人確認情報であると判断したならば、その通信部及び通信網を介して電気錠制御装置に対して特定の者が所持する解錠キーの使用許可情報を送信し、該電気錠制御装置は、この使用許可情報を受信したことを条件として常態では無効或いは眠っている解錠キーを活性化させる。
【０００９】
また、退出用開閉体制御システムの最も好ましい実施形態が、入退出用電気錠システムである場合には、「ＩＣタグのＩＤ情報を読み取る非接触型リーダ、この非接触型リーダと接続する電気錠制御装置、この電気錠制御装置と接続する外部の認証端末用通信部及び入退出用開閉体に設けられ、かつ前記電気錠制御装置に施・解錠が制御される電気錠を備えたものであり」、前記電気錠制御装置は、開閉体に接近した特定の者が所持するＩＣタグのＩＤ情報がその入力部に入力されると外部の認証端末用通信部及び通信網を介して外部端末としての認証端末に対して特定の者が前記入退出用開閉体に接近したことを通知（接近情報通知）し、一方、認証端末は、接近情報通知と同時又は異時に電気錠制御装置から貰った特定の者の情報をその認証部で確認し、該認証部が使用者の情報が許可できる本人確認情報であると判断したならば、その通信部及び通信網を介して電気錠制御装置に対してＩＣタグの使用許可情報を送信し、該電気錠制御装置は、この使用許可情報を受信したことを条件として常態では無効或いは眠っているＩＣタグの解錠キーを活性化するための活性化情報を該ＩＣタグ送信する。
【００１０】
上記の入退出用開閉体制御システムに於いて、前記特定の者の認証情報が、該特定の者が所持する前記開閉体用の解錠キーである場合には、前記開閉体制御装置は、前記解錠キーが活性化されると、前記開閉体に設けられた電気錠の施解錠を制御することを特徴とする。また前記特定の者の認証情報が、該特定の者が所持する前記開閉体用の解錠キーである場合には、前記開閉体制御装置は、前記解錠キーが活性化されると、前記開閉体の開閉を制御することを特徴とする。また外部の認証端末は人工知能手段を備え、この人工知能手段は、少なくともＩＣタグのＩＤ情報、特定の者の顔、特定の者の姿態や服装、特定の者の指紋、特定の者の声紋、特定の者の音声、ＩＣタグの使用者と外部の認証端末の所持者だけが知っている合言葉やパスワードのいずれか１つを「所定の認証情報（本人確認情報）」として取り扱って認証することを特徴とする。また開閉体制御装置は、前記使用許可情報を受信して解錠キーが活性化されてから所定時間経過すると、活性化された前記解錠キーを元の常態状態になるように開閉体の動作を制御する。
【００１１】
さらに付言すると、合言葉やパスワードは、いわば秘密情報（例えば特定の者の好きな動物、生年月日、祖母の名前など）に相当するものである。また電気錠制御装置は、特定の者の顔や姿態情報を取得する撮影装置（静止画像を撮るカメラ、動的画像を撮るビデオカメラなど）を備えている。また「本人確認情報」に生態情報が含まれている場合に於いて、該生態情報を取得する撮影装置がビデオカメラである場合には、映像信号から所定数のフレームを取り出し、例えば任意のソフトを利用して静止画像ファイルに圧縮し、電気錠制御装置の記憶部に記録されている認証端末のメールアドレス宛に送信するように構成する。
【００１２】
したがって、特に図示しないが、電気錠制御装置は、撮影装置から取得した映像から画像ファイルを生成する画像生成部、この画像生成部で生成された静止画像または動画を認証端末に送信する画像送信部等を有している。
【００１３】
一方、実施形態では、本人確認情報は、少なくともＩＣタグのＩＤ情報、特定の者の顔、特定の者の姿態や服装（帽子も含む）、特定の者の指紋、特定の者の声紋、特定の者の音声、ＩＣタグの使用者と外部の認証端末の所持者だけが知っている合言葉やパスワードのいずれか１つでも良いとはいうものの、外部の認証端末は本人を確認する必要があるので、視覚による判断が困難な指紋、声紋等の生態情報の場合には、いわゆる人工知能手段を用いて、予め認証端末の記憶部に記憶されている認証用情報（認証端末が予め許可した者の生態情報）を判別（認証）させるのが望ましい。
【００１４】
また入退出用開閉体は、住戸の玄関扉（集合住宅、一戸建ての住宅、オフイスビルなど）、又は建物の門扉（望ましくは集合住宅や一戸建ての住宅の門扉）、又は共用部の出入り口に設けられた自動扉、さらには、少なくとも建物内或いは建物付近に設置された宅配ボックスの扉のいずれかであり、電気錠制御装置は、特定の者の認証情報が、該特定の者が所持する前記開閉体用の解錠キーである場合には、活性化したＩＣタグの解錠キーを取得すると、例えば前記玄関扉、又は前記門扉、又は前記宅配ボックスの扉にそれぞれ設けられたロック機構（例えば電気錠の解錠・自動扉の駆動装置）の一つ又は複数を制御することを特徴とする。
【００１５】
また電気錠制御装置は、電気錠が解錠してから所定時間経過すると、前記電気錠を施錠状態に戻すように制御する。さらに、電気錠制御装置は電気錠が解錠してから所定時間経過すると、活性化したＩＣタグの解錠キーを元の常態状態になるように制御する。
【００１６】
なお、例えば入退出用開閉体制御システムの一例である電気錠の解錠方法は、ＩＣタグのＩＤ情報を読み取る非接触型リーダ、この非接触型リーダと接続する電気錠制御装置、この電気錠制御装置と接続する外部の認証端末用通信部及び入退出用開閉体に設けられ、かつ前記電気錠制御装置に施・解錠が制御される電気錠とを備えた入退出用電気錠の解錠方法であって、電気錠制御装置は、開閉体に接近した特定の者が所持するＩＣタグのＩＤ情報がその入力部に入力されると外部の認証端末用通信部及び広域の通信網を介して外部の認証端末に対して特定の者が入退出用開閉体に接近したことを通知（接近情報通知）する段階と、一方、認証端末は電気錠制御装置から貰った特定の者の情報をその認証部で確認し、該認証部が前記使用者の情報が許可できる本人確認情報であると判断したならば、電気錠制御装置に対してＩＣタグの使用許可情報を送信する段階と、その後に、電気錠制御装置は、常態では無効或いは眠っている前記ＩＣタグの解錠キーを活性化するための活性化情報を該ＩＣタグ送信する段階を含む。
【００１７】
ここで、「入力部」とは、特定の者が所持する開閉体用の解錠キーやＩＣタグと称される記憶媒体からＩＤコードを取得するもの（質問器）、ＩＤコードに対応するテンキー式の暗号コードを取得する入力部、カメラ等により姿態情報を取得する撮影装置等を含む。
前記「ＩＣタグ」は、ＩＤを有する非接触型情報媒体の一例であり、非接触型リーダが前記ＩＤを読み取ることが可能であれば、その形状は特に問わず、カード形状のもので、いわゆる「かざす」タイプのものも含まれる。さらに、「カード形状の挿入情報媒体」も、発明の課題を逸脱しない限り、非接触型情報媒体に含まれるものとする。望ましくは、接近情報通知を外部の認証端末に迅速に或いは早めに通知（接近情報通知）をすることができるように、ＩＣタグと非接触型リーダとは電波（無線）で行われる。
【００１８】
また例えば実施形態の「ＩＣタグ」は、二つの意味合いがある。その一つは、その記憶部に格納されているＩＤを非接触型リーダに送信するＩＤ送信機能であり、他の一つは、前記記憶部に格納され、かつ活性化された解錠キーを非接触型リーダに送信する解錠キー送信機能である。
【００１９】
本発明は、通信網と任意の場所で接続可能な携帯型或いは移動型外部端末が発明の特定要件であり、しかも、この外部端末は、最終的判断して、ＩＣタグ使用者の情報を許可する否かの本人確認をする「認証端末」或いは「監視端末」に相当するので、前記ＩＤと前記解錠キーは、別個の情報であることが望ましい（但し、実施形態の一例としては、ＩＤが移動型外部端末だけが知っている特定情報に相当し、かつ本人確認が可能であれば生態情報やパスワードに準ずるものとする）。
【００２０】
次に退出用開閉体制御システム、例えば入退出用電気錠システムは、広義では、「ＩＣタグ」、「通信網」及び「外部端末（認証端末）から成るものの、狭義では、ＩＣタグのＩＤ情報を読み取る非接触型リーダ、この非接触型リーダと接続する電気錠制御装置、この電気錠制御装置と接続する外部の認証端末用通信部及び入退出用開閉体に設けられ、かつ前記電気錠制御装置に施・解錠が制御される電気錠とから成る。
【００２１】
したがって、「ＩＣタグ」、「通信網」及び「外部端末（認証端末）」は、電気錠制御装置の積極的な特定要件ではない。しかしながら、本発明の主たる課題は、「外部端末（外部の認証端末）」が許可しないＩＣタグ使用者を排除する、つまり、セキャリティーの向上を図ることなので、前記外部の認証端末は、例えば電気錠制御装置からの接近情報通知と同時又は異時に該電気錠制御装置から貰った前記ＩＣタグを所持する特定の者の情報をその認証部で確認し、該認証部が前記使用者の情報が許可できる本人確認情報であると判断すること、及びその通信部及び通信網を介して前記電気錠制御装置に対してＩＣタグの使用許可情報を送信することをそれぞれ実行するので、広義の入退出用電気錠システムと密接な関連性がある。
【００２２】
次に通信網は、多数の基地局を含むインターネットのみならず、建物内のみで構築されたＬＡＮ形式の接続も含まれる。広域の通信網は、狭義の入退出用電気錠システムと外部端末（認証端末）との間に介在し、両者間の情報のやり取りを行う。例えば入退出用電気錠システムから外部端末（外部の認証端末）に開閉体に対する接近情報（例えば子供、おばあちゃん、おじいちゃん、訪問介護者、管理者などが近づいた旨）を通知する、又は実施形態によっては接近情報と同時に生態情報（望ましくは顔、姿態、音声など）を通知する。一方、外部端末（外部の認証端末）から入退出用電気錠システムにＩＣタグ使用者の生態情報要求を通知する。
【００２３】
次に外部端末（外部の認証端末）は、通信部、記憶部を含む制御部、表示部などの必要な構成要素を有し、通信網から任意の場所で開閉体に対する接近情報、ＩＣタグ使用者の生態情報要求、ＩＣタグ使用者の認証、認証後にＩＣタグの使用許可情報を送信することから、いわゆるスマートフォン、タブレット端末、ノートパソコンなどが該外部端末に含まれる。
【発明の効果】
【００２４】
（ａ）請求項１に記載の発明は、「外部端末（外部の認証端末）」が、例えば使用許可しないＩＣタグ使用者を排除する（なりします、の排除）、つまり、セキャリティーの向上を図ることができる。また「外部端末）」が任意の場所から、開閉体に接近し、かつ、例えば特定の者の認証情報が、該特定の者が所持する前記開閉体用の解錠キーである場合には、ＩＣタグを所持する者に対して、該ＩＣタグに格納されている解錠キーを活性化するためのＩＣタグの使用許可情報を開閉体制御装置（例えば電気錠制御装置）に送信することができる。さらに、実施形態によっては、非接触方式の場合、接近情報通知を外部端末としての認証端末に迅速に或いは早めに通知することができる。
（ｂ）請求項２に記載の発明は、開閉体制御装置は、使用許可情報を受信してから所定時間経過すると、元の常態状態になるように開閉体の動作を制御するので、常態では解錠キーとして使用することが不可能であり、仮にＩＣタグを落としても、心配をする必要がない。
【図面の簡単な説明】
【００２５】
【図１】本発明の一般的発明思想の概略説明図。
【図２】本発明の第１実施形態の概略を示すブロック図。
【図３】本発明の電気錠の解錠方法を示す概略フロチャート（このフロチャートは、二つの実施形態をまとめて示してある）。
【図４】図４の（ａ）と（ｂ）は、本発明に他の構成要件を付加した概略説明図。
【図５】他の適用例を示す第２実施形態の概略を示すブロック図。
【図６】第２実施形態の要部（開閉体の例）を示す概略説明図。
【発明を実施するための形態】
【００２６】
まず、図１は本発明の退出用開閉体制御システムの一般的発明思想（上位概念）或いは考え方を示す概略説明図である。この図１に於いて、図面左上の符号１は識別情報（例えばＩＣタグ）の一例としての「解錠キー」で、好ましくはこの解錠キー１は特定の者が所持している。また符号Ａは指紋・音声・網膜・顔・姿態等の識別情報を有し、かつ、後述の携帯型の認証端末６の認証対象と得る「特定の者」である。なお、図１は、退出用開閉体制御システムの一例として、開閉体７が住戸の玄関扉（集合住宅、一戸建ての住宅、オフイスビルなど）、又は建物の門扉（望ましくは集合住宅や一戸建ての住宅の門扉）のいずれかであり、該開閉体７には電気錠８が設けられている。開閉体７は、例えば共用部の出入り口に設けられた自動扉であっても良い。図１乃至図４は狭義の入退出用電気錠システムＸを含む退出用開閉体制御システムの一例を示している。図面左下の狭義の入退出用電気錠システムＸは、入力部２、電気錠制御装置３、外部の認証端末用通信部４を有する。入退出用電気錠システムＸは、周知の如く、入退出用開閉体７及び電気錠８等を構成要素としている。さらに、図面右上の６は通信網５と接続可能な携帯型の外部の認証端末、２１は認証端末の通信部、２４は認証端末の認証部である。なお、狭義の入退出用電気錠システムＸ及び認証端末６は、各記憶部、表示部等を備えているが、便宜上割愛してある。
【００２７】
本発明の各実施形態を包括する退出用開閉体制御システムは、特定の者の認証情報を入力する入力部、この入力部と接続する開閉体制御装置、この開閉体制御装置と接続する認証端末用通信部（４）を備えた入退出用開閉体制御システムであって、前記開閉体制御装置は、開閉体に接近した前記特定の者の認証情報がその入力部に入力されると前記認証端末用通信部（４）及び通信網（５）を介して携帯型の外部の認証端末（６）に対して前記特定の者が前記開閉体に接近したことを通知（接近情報通知）し、一方、前記外部の認証端末（６）は、前記接近情報通知により前記開閉体制御装置から貰った前記特定の者の認証情報を確認し、該特定の者の認証情報が使用許可できる本人確認情報であると判断したならば、自己の通信部（２１）及び前記通信網（５）を介して前記開閉体制御装置に対して前記開閉体の使用許可情報を送信し、この使用許可情報を貰った該開閉体制御装置は、前記特定の者の認証情報を該特定の者が所持する解錠キーが動作状態となるように制御する、又は共用部の出入り口に設けられた前記開閉体を開くように制御する、或いは又宅配ボックスの前記開閉体の錠前の施錠を解くように制御する、のいずれかである。
【００２８】
好ましい実施形態は、特定の者Ａの識別情報を読み取る入力部（例えば読取装置）２、この読取装置２と接続する開閉体制御装置３、この開閉体制御装置３と接続する外部の認証端末用通信部４を備えた入退出用開閉体制御システムＸであって、前記開閉体制御装置３は、前記開閉体７に接近した前記特定の者の認証情報に基づいて前記外部の認証端末用通信部４及び通信網５を介して外部の認証端末６に対して前記特定の者Ａが前記開閉体７に接近したことを通知（接近情報通知）し、一方、前記外部の認証端末６は、前記接近情報通知により前記開閉体制御装置３から貰った前記特定の者Ａの情報を確認し、該特定の者の情報が使用許可できる本人確認情報であると判断したならば、その通信部２１及び通信網５を介して前記開閉体制御装置３に対して解錠キー１の使用許可情報を送信し、この使用許可情報を貰った該開閉体制御装置３は、前記解錠キー１を活性化させる。
【００２９】
本発明の入力部（例えば読取装置）２や識別情報は、特定の構成（例えばカードリーダ、ＩＣタグのＩＤ情報）に限定されないことを明記するために、ここでは入力部２と識別情報に関して説明する。例えば一戸建て、マンション等の建物における入出退管理装置は、普通一般にカードに記録された利用者の識別情報（ＩＤ情報）を読み取るカードリーダや、利用者の指紋を読み取って照合する指紋照合装置あるいは音声を認識する音声認識装置などの入力装置からのＩＤ情報に基づいて、建物内の開閉体（例えばドア）に取り付けられた電気錠を制御し、建物に出入りする人や建物の特定のエリアに出入りする人を管理するものである。
【００３０】
この種の入出退管理装置は、主に開閉体７に設けられた電気錠８と、開閉体７或いはこの開閉体の内外の適宜箇所に設けられたカードリーダなどの入力部（例えば読取装置）２からのＩＤ情報を処理する電気錠制御装置とから構成されている。前記カードリーダにはＩＤ情報を磁気的に記録したカードを扱う磁気ストライプ方式のものや、ＩＤ情報を送信する機能を有するカードを扱う非接触方式のものなどがある。非接触方式のものとしては、例えば特開平３−２３５０８１号や特開平３−２２８９８８号がある。
【００３１】
本発明の入力部２は、好ましくは「読取装置」である。したがって、識別情報は非接触型の情報記憶媒体が好ましいものの、これに限定されるものではなく、上記の特許文献に記載の接触方式並びに非接触方式の両方が含まれる。また利用者の識別情報に関して、電気錠制御装置３側の入力部２（例えば読取部）は、後述する実施形態の如く、好ましくはカードリーダやＩＴＶ監視カメラであるが、指紋照合端末装置、音声認識端末装置、網膜認識装置のいずれであっても良い。またこれらの複数の入力装置を備えていても良い。
【００３２】
次に図２及び図３を参照にして好ましい実施形態を説明する。この実施形態を理解する場合、例えば一戸建住宅やマンションの玄関扉に自分の子供が接近し、一方、母親は自分の住宅内にいるのではなく、携帯端末を持って外出している場面を想定すれば良い。
【００３３】
実施形態では、図２で示すように、特定の者（例えば子供）Ａが所持するＩＣタグ１のＩＤ情報を読み取る非接触型リーダ２、この非接触型リーダと接続する電気錠制御装置３、この電気錠制御装置とその外部の認証端末用通信部４及び広域の通信網５を経由して接続する外部端末（認証端末）６、前記子供が接近した退出用開閉体７に設けられ、かつ前記電気錠制御装置３に施・解錠が制御される電気錠８が主な特定事項であり、さらに前記非接触型リーダ又は前記電気錠制御装置３に直接又は間接的に撮影装置（カメラ）９が接続している。
【００３４】
狭義の電気錠システムＸを構成する電気錠制御装置３は、もちろん、登録情報ａ、解錠キーを活性化するためのプログラムｂなど必要な情報を格納する記憶部１０、前記電気錠が解錠した時点を始点としてカウントする計時機能（タイマー）１１を有している。また狭義の電気錠システムＸは、広域の通信網５を経由して接続する外部端末（認証端末）６と接続し、この外部端末（認証端末）６は、通信部２１と、制御部２２と、記憶部２３と、認証部２４と、表示と操作を兼用する表示部（液晶画面）２５等を有している。
【００３５】
一方、広義の入退出用電気錠システムＹは、（１）特定の者Ａが所持するＩＣタグ１と、（２）非接触型リーダ２と、（３）この非接触型リーダ２と別体又は一体的に接続する電気錠制御装置３と、（４）この電気錠制御装置３に接続する外部の認証端末用通信部４と、（５）前記電気錠制御装置に直接制御されて開閉体７を施・解錠する電気錠８と、（６）多数の基地局を有する広域の通信網５と、（７）外部端末としての認証端末６とから成る。
【００３６】
実施形態では、前記外部端末６（以下、ここでは外部の「認証端末」という）が重要な監視或いは制御機能の役割を果たす。この外部の認証端末６は、いわば監視端末として重要な役割を果たすが、特許権の直接侵害論の視点から前記電気錠制御装置３に視点を置くと、換言すれば外部の認証端末６の処理構成を電気錠制御装置のそれに読み替えると、実施形態の電気錠制御装置３は、ＩＣタグ１のＩＤを認証する、ＩＣタグの認証が登録情報ａと一致したならば、外部の認証端末６に通信網５を経由して特定の者Ａが入退出用開閉体７に接近したことを通知する（接近情報通知）。
【００３７】
さらに電気錠制御装置３は、例えば外部の認証端末６からの要求に基づいて（接近情報通知とは異なる時期）前記特定の者Ａを特定するための情報（例えば生態情報、パスワードなど）を送信する、又は外部の認証端末６からの要求に基づかないで、前記特定の者Ａを特定するための情報を自動的に前記接近情報通知と同時に通知する、外部の認証端末６からＩＣタグ１の使用許可情報を取得する、前記使用許可情報を取得することを条件として、特定の者の認証情報が、該特定の者が所持する前記開閉体用の解錠キーである場合には、前記特定の者Ａが所持するＩＣタグ１の解錠キーを活性化するための活性化情報を該ＩＣタグ１に送信する、そして、活性化したＩＣタグ１の解錠キーを取得する建物の玄関扉７（実施形態によっては門扉７）に設けられた電気錠８を解錠するように制御する、加えて、計時機能１１を利用して電気錠８が解錠してから所定時間経過すると、該電気錠８を施錠状態に戻すように制御する、電気錠８が解錠してから所定時間経過すると、活性化したＩＣタグ１の解錠キーを常態状態になるように制御する等の諸機能を有することから、このような諸機能を有する狭義の入退出用電気錠システムＸを無断に実施する第三者は、間接侵害ではなく、本発明の直接侵害に該当するものということができる。そこで、本発明の第１実施形態を説明する。なお、第１実施形態の説明に当たって、周知事項（例えばＩＣタグ１、電気錠８の具体的構成）の詳細は割愛する。
【００３８】
（１）ＩＣタグ１…ＩＣタグは、任意の所持者が所持し、外出の際、カバン類や袋物に入れ或いは身に付けて持ち歩くことができる。典型例は出願人が製造・販売している「ノンタッチキー（登録商標）」と称されるものである。ノンタッチキー１は解錠ボタン、施錠ボタン等を有し、例えば解錠ボタンを開閉体７に設けた電気錠システムＸに向けて解錠信号を送信すると、開閉体７を開けることができる。また、ＩＣタグは電磁波や電波によって室内外に設置された非接触型リーダと非接触通信可能であって、所定の通信範囲内で通信することができる。ＩＣタグは非接触型リーダから送信された応答要求信号に応じで起動して識別情報を含む信号を非接触型リーダに送信する。これらは周知技術である。であるから詳細は割愛するが、住戸の居住者（例えば子供と母親）を例にすると、子供Ａが外出の際、ＩＣタグ（ノンタッチキー）１を所持し、このＩＣタグ１は、少なくとも非接触型リーダ２と通信可能なＩＤ情報を記憶部に格納している。前述したように、実施形態のＩＣタグ１は、固有のＩＤ情報と、電気錠制御装置３から活性化情報を貰ったときに、無効状態から有効状態に復活する或いは眠っている状態から目覚めた状態になる（ここでは「活性化」という）解錠キーもその記憶部に格納している。
【００３９】
したがって、ＩＣタグは、普通一般の常態に於いて、電気錠制御装置（非接触型リーダを含む）３に応答することができる固有のＩＤ情報と、子供が自由に学校などに持ち歩いているときには全く解錠キーとして使用することができない非有効状態の解錠キーの二つの情報を保有している。それ故に、母親Ｂから見て、仮に子供ＡがＩＣタグ（ノンタッチキー）１を何処かに落としても、住戸の開閉体７が無断で開けられる心配はない。
また実施形態では、自分の子供Ａと仲良しの子供Ｚが仮に自己の住戸の開閉体７を開けようとして該開閉体７の前（例えば玄関扉の前）に立ったとしても、母親Ｂは、その所持する外部の認証端末６から通信網５を経由して電気錠制御装置３に当該ＩＣタグ１の使用許諾の信号（活性化信号をＩＣタグ送信しても良い旨の許可信号）を与えない限り、当該住戸の開閉体７を無断で開けられる心配はない。それ故に、この意味合いでは、母親Ｂの所持する外部の認証端末６は狭義の入退出用電気錠システムＸの電気錠制御装置３を監視或いは制御するものである。
【００４０】
なお、実施形態では、判り易くするため子供Ａが所持するＩＣタグ１と母親Ｂが所持する携帯端末６を例にしているが、例えば信頼関係のある住戸の管理人と母親、信頼関係のある親戚と母親、職場の上司と信頼関係のある従業員など、「本人確認（認証部）２４」が可能な認証端末６からの使用許可情報に基づき、さらに電気錠制御装置３から活性化情報を取得することができるＩＣタグ１を所持する者を、ここでは「特定の者」の概念に含めるものとする。
【００４１】
（２）狭義の電気錠システムＸ…前述したように、狭義の電気錠システムＸは、非接触型リーダ２、この非接触型リーダ２と接続する電気錠制御装置３、この電気錠制御装置と接続する外部の認証端末用通信部４及び入退出用開閉体７に設けられ、かつ前記電気錠制御装置３に施・解錠が制御される電気錠８とを備え、前記電気錠制御装置３には、記憶部１０、タイマー１１の他に、特定の者の顔や姿態情報を取得する撮影装置９が接続している。その他、図２には図示しないが、パスワードを手動に入力することができるテンキー、合言葉等を入力することができるマイク、指紋検知装置等が接続している。なお、前記撮影装置９は非接触型リーダ２と連動するように該非接触型リーダ２に接続しても良い。このように、特定の者の顔や姿態情報（制服や帽子を含む）を取得する撮影装置９を構成要件とする場合には、前述した「特定の者」の概念に宅配事業者の配達人が含まれる。
【００４２】
（３）非接触型リーダ２…非接触型リーダ２は、周知のようにＩＣタグ１が電波の届く領域に入ると、当該ＩＣタグ１が保有しているＩＤ情報を取得し、電気錠制御装置３に対して出力する。非接触型リーダ２は単数又は複数個、適宜な場所に配設される。一般的には、一戸建て住宅又は集合住宅の場合には、玄関扉７又はその近傍に配置される。実施形態によっては、集合住宅の共用ゲート、専用ゲートの壁、床等に複数個配設する場合もある（特開２０１６−１２１６２号公報）。また実施形態では、当該ＩＣタグ１が保有している解錠キーを非接触状態で取得する。前述したように、ＩＣタグ１はＩＤ送信機能と活性化された解錠キー情報を非接触型リーダ２に送信するので、非接触型リーダ２はこれらの機能に対応して両方の情報を受信する機能を有する。なお、集合住宅の共用ゲートや宅配ボックスの扉の開閉に関しては、図５及び図６で説明する。
【００４３】
（４）電気錠８
電気錠８は、普通一般に開閉体７の一例としての玄関扉の自由端部に取り付けられ、図示しない駆動モータ等の駆動源、動力伝達機構、クラッチ機構、駆動源の駆動力により扉枠の受け金具に対して進退動するデッドボルト、玄関扉の外壁面側に設けられたシリンダ装置、玄関扉の内壁面側に設けられたサムターン装置等を備え、機械的にも電気的にも施解錠可能である。
【００４４】
（５）電気錠制御装置３、記憶部１０、計時機能（タイマー）１１
電気錠制御装置３は、狭義の電気錠システムＸを統括的に制御するものであるが、前述したように実施形態では認証端末６に制御される。電気錠制御装置３は電気錠８と有線又は無線で接続されており、その記憶部１０に格納されている登録情報ａを含む認証プログラム及びＩＣタグ１の解錠キーを活性化するための活性化プログラムｂ等を格納している。
したがって、記憶部１０には当該住戸の識別情報、ＩＣタグ１のＩＤ情報、認証端末６のメールアドレス等本実施形態の処理に必要な登録情報ａが予め記録されている。また電気錠制御装置３は、認証機能及び計時機能（タイマー）を有するので、ＩＤ情報が登録情報と一致したならば、自動的に特定の者が当該住戸の玄関先に接近したことを外部の認証端末用通信部４に出力する。
【００４５】
ここで、図３を参照にして、例えば「電気錠の解錠方法」を説明する。図３の概略フロチャートでは、認証端末６が電気錠制御装置３から生態情報等を取得する態様に関して、二つの実施形態（例１と例２）を示してある。
【００４６】
まずステップＳ１は、ＩＣタグ１が開閉体７に接近した段階である。この時、例えば使用許可を有する自己の子供Ａが自己の住宅の玄関扉７に接近する。ステップＳ２は、ＩＣタグ１と非接触型リーダ２との間で情報のやり取りをし、電気錠制御装置３は非接触型リーダ２を介してＩＤ情報を取得する。
【００４７】
ステップＳ３は、ＩＣタグのＩＤ情報を認証する段階である。このステップＳ３ではＩＣタグのＩＤ情報が登録情報と一致するか否かを判断する。そこで、電気錠制御装置がＩＣタグの認証をすると、すなわち、ＩＣタグの認証が登録情報ａと一致したならば、認証端末６に通信網５を経由して特定の者Ａが入退出用開閉体７に接近したことを通知する（接近情報通知：ステップＳ４）。
【００４８】
前記接近情報通知Ｓ４に関連して認証端末６が電気錠制御装置３から自己の子供Ａの生態情報等を取得する方法には２つの実施形態（例１と例２）がある。まず図面右側に示す例１は、認証端末６が電気錠制御装置から接近情報通知Ｓ４を取得した後、例えば認証端末６がその表示部２５等で「誰かが玄関扉の前にいる」を知り、その誰かが「自己の子供Ａか否か（使用権限がある者か否か）」を知るために、安全性の確保の観点から、認証端末６から電気錠制御装置３に対して玄関扉の前にいる人の生態情報等を要求し、電気錠制御装置３は該要求があった後、撮影装置９の画像情報、暗証番号を入力したテンキー情報、マイクに対する合言葉等の生態情報等を取得するステップである。この例１のステップは、接近情報と異なる時期に生態情報等をもらうという構成である。
【００４９】
次に図面左側に示す例２は、例えば撮影装置９が非接触型リーダ２と略同時に起動するので、認証端末６は電気錠制御装置３から接近情報通知Ｓ４と略同時に生態情報等をもらうという構成である。付言すると、電気錠制御装置３は認証端末６からの要求に基づかないで、特定の者Ａを特定するための情報を自動的に接近情報通知と略同時に認証端末６に対して通信網５を介して通知するものである。
【００５０】
次にステップＳ５は、本人確認をする段階である。この本人確認の段階は認証が成立するか否かということを意味する。実施形態では、特定の者Ａを特定するための情報が、生態情報のみならず、少なくともＩＣタグのＩＤ情報、特定の者の顔、特定の者の姿態、特定の者の指紋、特定の者の声紋、特定の者の音声、ＩＣタグの使用者と外部の認証端末６の所持者だけが知っている合言葉やパスワード等の認証情報の内のいずれか１つ又は複数を「本人確認情報」として取り扱っているので、その認証手段は、例えば認証端末６を所持している母親Ｂのみではなく、望ましくは学習機能を有する知能ロボットによる認証成立で実行する。
【００５１】
したがって、母親Ｂが認証端末６の認証部２４を利用して、又は認証端末は人工知能手段を備え、この人工知能手段は、少なくともＩＣタグのＩＤ情報、特定の者の顔、特定の者の姿態、特定の者の指紋、特定の者の声紋、特定の者の音声、ＩＣタグの使用者と外部の認証端末の所持者だけが知っている合言葉やパスワード等の認証情報の内のいずれか１つ又は複数を「本人確認情報」として取り扱って認証するので、この人工知能手段がその記憶部２３に記憶されている生態情報等に関する登録情報に基づいて自動的に本人確認した後（認証成立後）に、ＩＣダグの使用許可情報を電気錠制御装置３に送信する。
【００５２】
この人工知能手段は、母親Ｂが認証端末６の認証部を利用して使用許可情報を送信した時の特定の者の顔、特定の者の姿態、特定の者の指紋、特定の者の声紋、特定の者の音声、ＩＣタグの使用者と外部の認証端末６の所持者だけが知っている合言葉やパスワード等の認証情報を記憶手段２３に記憶し、蓄積することで学習を行う。
【００５３】
さらに、この人工知能手段はその入力部から特定の者の顔、特定の者の姿態、特定の者の指紋、特定の者の声紋、特定の者の音声、ＩＣタグの使用者と外部の認証端末６の所持者だけが知っている合言葉やパスワード等の認証情報を取得する度に、認証情報を更新して記憶手段２３に記憶するので、特定の者の成長によって、その顔や姿態、音声等が次第に変化しても、その変化に対応して本人確認することができる。
【００５４】
さらにまた、この人工知能手段、一度母親Ｂが使用許可情報を送信した認証情報については２回目以降は、学習結果に基づいて自動的に本人確認するようにしても良い。
【００５５】
次にステップＳ６は、電気錠制御装置３が認証端末６から前記ＩＣダグの使用許可情報を取得する段階である。電気錠制御装置３は認証端末６からＩＣダグの使用許可情報を取得すると、認証端末６の登録情報を確認した後、ＩＣダグに対して解錠キーが活性化する活性化情報を送信する。これにより、常態では無効或いは眠っている前記ＩＣタグの解錠キーが活性化する（ステップＳ７）。そこで、特定された子供ＡがＩＣダグ１の解除釦を押すと、その解除信号を受理した電気錠８は開閉体７の電気錠８を解錠する（ステップＳ８）。
【００５６】
以上のように、本実施形態では、例えば電気錠制御装置３は使用許可情報を取得することを条件として特定の者Ａが所持するＩＣタグ１の解錠キーを活性化するための活性化情報を該ＩＣタグに送信し、さらに、活性化したＩＣタグ１からその解錠キーを取得すると、建物の玄関扉又は門扉に設けられた電気錠を解錠するように制御する。
【００５７】
本実施例では、電気錠制御装置３は認証端末６からＩＣダグの使用許可情報を取得すると、認証端末６の登録情報を確認した後、ＩＣダグに対して解錠キーが活性化する活性化情報を送信する場合を説明したが、異なる実施例では、電気錠制御装置は特定の者が所持するＩＣタグが接近したときにＩＤ情報と共に解錠キーを取得して、自身の記憶部に一時的に解錠キーを記憶しておき、外部の通信端末から使用許可情報を取得したときに解錠キーを活性化させても良い。この場合には、特定された子供ＡはＩＣタグ１の解錠ボタンを押す必要がなく、その解除信号を受理した時点で、電気錠８は自動的に開閉体７の電気錠８を解錠する。
【００５８】
また、さらに異なる実施例では電気錠制御装置３は認証端末６から使用許可情報を取得すると、電気錠制御装置３は直接電気錠８の解錠を制御するようにしても良い。この実施例では、ＩＣタグの解錠キーを活性化させずに電気錠８を解錠することができる。
【００５９】
また、本実施例ではＩＣタグの記憶部に格納される識別情報は異なる２つのＩＤ情報と、解錠キーである旨の説明をしたが、該情報は同一の識別情報であっても良い。
【００６０】
なお、ステップＳ５に於いて、認証不成立の場合には、認証端末６は電気錠制御装置３に対して使用許可情報を送信しない（例えばそのまま放置）。そうすると、当然のことながら、解錠キーは活性化せず、眠ったままの状態である。それ故に、ＩＣダグ１で電気錠８を解錠することができない。
【００６１】
（６）電気錠を施錠状態に戻す構成
図４の（ａ）は、付加的要件として、電気錠８が解錠してから所定時間（ｔ）が経過すると、該電気錠を施錠状態に戻すように制御することを示す。前記所定時間（ｔ）は、例えば子供Ａが玄関先で電気錠が解錠になったのにも関わらず、遊び友達に誘われて、玄関先から一時的に離れることを考慮し、例えば２０秒乃至３０秒経過すると、電気錠制御装置３は電気錠８を施錠状態に戻す（ステップＳ９）。
【００６２】
（７）ＩＣタグの解錠キーを常態状態になるように制御する構成
ＩＣタグの解錠キーを常態状態になるように制御は、電気錠制御装置３からの指令信号により、又はＩＣタグ自体の記憶部に格納されているプログラムにより実行することができるが、本実施形態では、ＩＣタグ自体は、狭義の電気錠システム又は電気錠の解錠方法の特定要件ではないので、望ましくは、ＩＣタグを構成要件とはせず、電気錠制御装置３は電気錠が解錠してから所定時間経過すると、活性化したＩＣタグの解錠キーを常態状態になるように制御する（ステップＳ１０）。したがって、図４の（ｂ）も図４の（ａ）と同様の構成である。なお、ステップＳ９とステップＳ１０の各構成は、「ＯＲ」又は「ＡＮＤ」で、ステップＳ８の後に加味しても良い。
【００６３】
最後に図５及び図６は、開閉体７の概念の中に「集合住宅の共用ゲートや宅配ボックスの扉」がそれぞれ含まれる旨の各概略説明図である。これらの図に於いて、Ｘ１は退出用開閉体制御システムで、この退出用開閉体制御システムＸ１には、第１実施形態で説明した狭義の入退出用電気錠システムＸを含まれている。
【００６４】
この退出用開閉体制御システムＸ１は、特定の者の認証情報が、該特定の者が所持する前記開閉体用の解錠キーである場合には解錠キー１が持っている認証情報であり、一方、特定の者が前記解錠キー１を所持していない者（例えば宅配物の配達員）である場合には、「特定の者Ａ」の識別情報は、例えば特定の者の姿態（服装、帽子等も含む）、特定の者の指紋、特定の者の声紋、特定の者の音声等である。
【００６５】
したがって、第２実施形態の外部の認証端末６は、前述した接近情報通知により開閉体制御装置３から貰った前記特定の者Ａの認証情報を確認し、該特定の者Ａの認証情報が使用許可できる本人確認情報であると判断したならば、その通信部２１及び通信網５を介して前記開閉体制御装置３に対して開閉体の使用許可情報を送信し、この使用許可情報を貰った該開閉体制御装置３は、特定の者の認証情報が、例えば前記特定の者Ａが所持する前記開閉体用の解錠キー１であれば、それを活性化させるように制御する又は共用部の出入り口７Ａに設けられた開閉体７Ｂを開くように制御する、或いは又特定の者が前記解錠キー１を所持していない者（例えば宅配物の配達員）である場合には、例えば特定の者の姿態を認証情報として、宅配ボックス３０の開閉体７Ｃの錠前の施錠を解くように制御する、のいずれかである。
【００６６】
ところで、退出用開閉体制御システムＸ１は、共用部の出入り口７Ａ付近、又はその開閉体７Ｂのいずれかに特定の者Ａの顔や姿態情報（制服や帽子を含む）を取得する撮影装置９を備えている（図２、図５を参照）。また実施形態では、建物の共用玄関２９の床面Ｆに複数の大小の開閉体７Ｃを有する宅配ボックス３０が設置されている（６を参照）。
【００６７】
そして、前記共用部の開閉体７Ｂ又は／及び前記配ボックス３０の大小の各開閉体７Ｃに対しては、それぞれ特定の者Ａの識別情報を読取る入力部（例えば読取装置）２、２、２が適宜に配設され、これらの入力部２はそれぞれ単数又は複数の開閉体制御装置３に有線又は無線で電気的に接続している。また単数又は複数の開閉体制御装置３は、通信網５と接続可能な単数又は複数の外部の認証端末用通信部４と接続している。このように本発明の用途の範囲を広めても、主たる課題を達成することができる。
【産業上の利用可能性】
【００６８】
本発明は、例えば住宅の入退出用電気錠システム及び該電気錠の解錠方法として利用される。
【符号の説明】
【００６９】
Ｘ…狭義の入退出用電気錠システム、
Ｙ…広義の入退出用電気錠システム、
Ａ…特定の者（識別情報）、
１…解錠キー（例えばＩＣタグ：識別情報）、
２…入力部（例えば非接触型リーダ）、
３…電気錠制御装置、
４…外部の認証端末用通信部、
５…広域の通信網、
６…外部の認証端末、
７…玄関扉又は門扉、
７Ａ…共用部の出入り口、
７Ｂ…共用部の開閉体、
７Ｃ…宅配ボックスの開閉体、
７…開閉体、
８…電気錠、
９…撮影装置、
１０…記憶部、
１１…計時機能、
２１…通信部、
２２…制御部、
２３…記憶部、
２４…認証部、
２５…表示部。
３０…宅配ボックス。
【図１】
2019002269.tif 000003
【図２】
2019002269.tif 000004
【図３】
2019002269.tif 000005
【図４】
2019002269.tif 000006
【図５】
2019002269.tif 000007
【図６】
2019002269.tif 000008